(57)【要約】【課題】ローミング用にＰＲＬを予め取得していなくても接続が許可されているローミング網に接続することができる。【解決手段】通信部４１は、第１の通信システムと、第２の通信システムとのいずれかを用いて公衆網に接続された基地局との間で接続を行う。記憶部４７は、第１のチャネルリストと、抜粋チャネルリストと、ダウンロード情報とを記憶する。捕捉処理部４８１は、第１の通信システムおよび第２の通信システムの捕捉処理を行う。ダウンロード部４８２は、ダウンロード情報に基づいて第２のチャネルリストをダウンロードする。主制御部４８０は、捕捉処理部４８１が抜粋チャネルリストに基づいた捕捉処理を成功した場合、捕捉処理が成功したチャネルにて第２のチャネルリストをダウンロードするようにダウンロード部４８２を制御し、さらに、以降の捕捉処理を第２のチャネルリストに基づいて行うように捕捉処理部４８１を制御する。【選択図】図２
2010056892.tif 000002
【特許請求の範囲】
【請求項１】
第１の通信システムと、第２の通信システムとのいずれかにも対応可能であり、そのいずれかを用いて公衆網に接続された基地局との間で接続を行う通信部と、
第１の通信システムでの捕捉処理の対象となる複数のチャネル情報が含まれる第１のチャネルリストと、第２の通信システムでの捕捉処理の対象となる複数のチャネル情報中の一部のチャネル情報が含まれる抜粋チャネルリストと、第２の通信システムでの捕捉処理の対象となる複数のチャネル情報が含まれる第２のチャネルリストをダウンロードする方法が示されたダウンロード情報とを記憶する記憶部と、
前記第１の通信システムおよび前記第２の通信システムの捕捉処理を行う捕捉処理部と、
前記ダウンロード情報に基づいて前記第２のチャネルリストをダウンロードするダウンロード部と、
前記捕捉処理部が前記第１のチャネルリストに基づいた捕捉処理に成功した場合、当該捕捉処理において成功したチャネルにて待ち受け処理を行うように前記通信部を制御し、さらに、以降の捕捉処理を前記第１のチャネルリストに基づいて行うように前記捕捉処理部を制御し、前記捕捉処理部が前記抜粋チャネルリストに基づいた捕捉処理を成功した場合、捕捉処理が成功したチャネルにて前記第２のチャネルリストをダウンロードするように前記ダウンロード部を制御し、さらに、以降の捕捉処理を前記第２のチャネルリストに基づいて行うように前記捕捉処理部を制御する制御部と
を備えたことを特徴とする無線通信装置。
【請求項２】
前記記憶部は、国情報あるいは通信事業者情報と、前記ダウンロード情報とを関連付けて記憶し、
前記捕捉処理部は、前記抜粋チャネルリストに基づいた捕捉処理を成功した場合、成功したチャネルで報知される前記国情報あるいは前記通信事業者情報を取得し、
前記ダウンロード部は、前記捕捉処理部が取得した前記国情報あるいは前記通信事業者情報に関連付けられている前記ダウンロード情報を前記記憶部より取得し、取得した前記ダウンロード情報に基づいて前記第２のチャネルリストをダウンロードする
ことを特徴とする請求項１に記載の無線通信装置。
【請求項３】
前記制御部は、前記第１のチャネルリストに基づいて捕捉処理を行うように前記捕捉処理部を制御し、前記捕捉処理部が前記捕捉処理を所定回数失敗した場合、前記抜粋チャネルリストに基づいて捕捉処理を行うように前記捕捉処理部を制御する
ことを特徴とする請求項１または請求項２のいずれか１項に記載の無線通信装置。
【請求項４】
前記通信部は、前記第２のチャネルリストの配信を報知するブロードキャスト情報を前記基地局より受信し、
前記ダウンロード部は、前記ブロードキャスト情報に基づいて、前記第２のチャネルリストを取得し、
前記制御部は、前記ブロードキャスト情報を取得した後、所定時間以上前記第２のチャネルリストが取得されない場合、前記抜粋チャネルリストに基づいて捕捉処理を行うように前記捕捉処理部を制御する
ことを特徴とする請求項１から請求項３のいずれか１項に記載の無線通信装置。
【発明の詳細な説明】
【技術分野】
【０００１】
本発明は、無線通信装置に関する。
【背景技術】
【０００２】
ローミングを許可されていない無線通信装置（携帯電話）がそのローミングエリア内に移動すると、無線通信装置は、ローミング網の電波を捕捉し待ち受け処理を行おうとする。ここで、ローミングを許可されていない場合には、ローミング網に接続を拒否されてしまう。しかしながら、接続を拒否されたにも関わらず、無線通信装置は再度ローミング網の電波を捕捉し待ち受け処理を繰り返し行うという問題がある。この問題を回避する方法として、無線通信装置は、接続許可されていないローミング網が使用する周波数を記憶し、この周波数の電波を捕捉しないようにする方法が知られている（例えば、特許文献１参照）。
【０００３】
また、ＣＤＭＡ２０００方式を用いる無線通信装置は、接続許可されているローミング網が使用する周波数チャネルを示すＰＲＬ（Ｐｒｅｆｅｒｒｅｄ  Ｒｏａｍｉｎｇ  Ｌｉｓｔ、ローミングエリア情報）を予め取得し、ＰＲＬに基づいてローミング網の電波を捕捉する。
【特許文献１】特開２００６−３１１３２９号公報
【発明の開示】
【発明が解決しようとする課題】
【０００４】
上記した特許文献１の技術では、無線通信装置は接続を拒否するローミング網が使用する周波数の電波を捕捉しないようにすることはできる。しかしながら、ＣＤＭＡ２０００方式を用いる無線通信装置等のように、予め使用する周波数チャネルを特定するＰＲＬを記憶しておき、このＰＲＬに基づいてローミング網の電波を捕捉する方式においては、ＰＲＬを取得していない場合、接続が許可されているローミング網にも接続することができないという問題がある。
【０００５】
本発明は上記の課題を解決するためになされたものであり、ＰＲＬを予め取得していなくても接続が許可されているローミング網に接続することができる無線通信装置を提供することを目的とする。
【課題を解決するための手段】
【０００６】
本発明の観点は、第１の通信システムと、第２の通信システムとのいずれかにも対応可能であり、そのいずれかを用いて公衆網に接続された基地局との間で接続を行う通信部と、第１の通信システムでの捕捉処理の対象となる複数のチャネル情報が含まれる第１のチャネルリストと、第２の通信システムでの捕捉処理の対象となる複数のチャネル情報中の一部のチャネル情報が含まれる抜粋チャネルリストと、第２の通信システムでの捕捉処理の対象となる複数のチャネル情報が含まれる第２のチャネルリストをダウンロードする方法が示されたダウンロード情報とを記憶する記憶部と、前記第１の通信システムおよび前記第２の通信システムの捕捉処理を行う捕捉処理部と、前記ダウンロード情報に基づいて前記第２のチャネルリストをダウンロードするダウンロード部と、前記捕捉処理部が前記第１のチャネルリストに基づいた捕捉処理に成功した場合、当該捕捉処理において成功したチャネルにて待ち受け処理を行うように前記通信部を制御し、さらに、以降の捕捉処理を前記第１のチャネルリストに基づいて行うように前記捕捉処理部を制御し、前記捕捉処理部が前記抜粋チャネルリストに基づいた捕捉処理を成功した場合、捕捉処理が成功したチャネルにて前記第２のチャネルリストをダウンロードするように前記ダウンロード部を制御し、さらに、以降の捕捉処理を前記第２のチャネルリストに基づいて行うように前記捕捉処理部を制御する制御部とを備えたことを特徴とする無線通信装置である。
【０００７】
また、本発明の無線通信装置において、前記記憶部は、国情報あるいは通信事業者情報と、前記ダウンロード情報とを関連付けて記憶し、前記捕捉処理部は、前記抜粋チャネルリストに基づいた捕捉処理を成功した場合、成功したチャネルで報知される前記国情報あるいは前記通信事業者情報を取得し、前記ダウンロード部は、前記捕捉処理部が取得した前記国情報あるいは前記通信事業者情報に関連付けられている前記ダウンロード情報を前記記憶部より取得し、取得した前記ダウンロード情報に基づいて前記第２のチャネルリストをダウンロードしてもよい。
【０００８】
また、本発明の無線通信装置において、前記制御部は、前記第１のチャネルリストに基づいて捕捉処理を行うように前記捕捉処理部を制御し、前記捕捉処理部が前記捕捉処理を所定回数失敗した場合、前記抜粋チャネルリストに基づいて捕捉処理を行うように前記捕捉処理部を制御してもよい。
【０００９】
また、本発明の無線通信装置において、前記通信部は、前記第２のチャネルリストの配信を報知するブロードキャスト情報を前記基地局より受信し、前記ダウンロード部は、前記ブロードキャスト情報に基づいて、前記第２のチャネルリストを取得し、前記制御部は、前記ブロードキャスト情報を取得した後、所定時間以上前記第２のチャネルリストが取得されない場合、前記抜粋チャネルリストに基づいて捕捉処理を行うように前記捕捉処理部を制御してもよい。
【発明の効果】
【００１０】
本発明によれば、ＰＲＬを予め取得していなくても接続が許可されているローミング網に接続することができる。
【発明を実施するための最良の形態】
【００１１】
以下、本発明の一実施形態について説明する。図１は、本実施形態における無線通信システムの構成の一例として日本国内外のエリアにおける通信システムを示す図である。図示するように、第１のエリア１０００と第２のエリア２０００との２つのエリアがある。具体的には、第１のエリア１０００は日本国内のエリアである。また、第２のエリア２０００は日本国外のエリアである。第１のエリア１０００には、第１の基地局１０と第３の基地局３０とが含まれている。第２のエリア２０００には、第２の基地局２０が含まれている。第１の基地局１０は第１の通信システム１１を構成している。第２の基地局２０は第２の通信システム２１を構成している。第３の基地局３０は第３の通信システム３１を構成している。
【００１２】
第１の基地局１０と第２の基地局２０と第３の基地局３０は、ともに例えばＣＤＭＡ２０００のデジタル移動通信方式を用いて、無線通信装置（ここでは携帯電話４０）との間で無線通信を行う。第１の基地局１０は第１の通信システム１１を構成している。第２の基地局２０は第２の通信システム２１を構成している。第３の基地局３０は第３の通信システム３１を構成している。
【００１３】
第１のエリア１０００においては第１の通信システム１１と第３の通信システム３１を利用可能であり、第２のエリア２０００においては第２の通信システム２１が利用可能である。なお、第１のエリア１０００においては第１の通信システム１１と第３の通信システム３１が同一事業者によって運営され、同じ中継局等に接続されてハードハンドオフ等可能に構成されている。
【００１４】
ところで、ＣＤＭＡ２０００方式とは、使用することのできる周波数チャネルは複数存在しており、各周波数チャネルをさらに符号分割して用いることで多数の携帯電話４０と各基地局との通信を行っている。各通信システムにおいては、それぞれの国の定める無線通信に使用可能な周波数帯域幅の広さ、カバーしなければならない携帯電話の数に応じて、周波数チャネルを多数有する国がある。さらに、基地局の増設時などに各国の周波数帯域見直しなどにより、新たに使用可能となった周波数に対応する基地局を追加し、さらに近隣の周波数から当該周波数チャネルの存在を追加的に報知することで、当該基地局も使用可能としている場合がある。このように、多数の周波数チャネルが存在する場合においても、それぞれのエリア内であれば、全域で、使用が優先的になされる周波数チャネルが設定されている。このような優先周波数チャネルのリストは、ＰＲＬ（Ｐｒｅｆｅｒｒｅｄ  Ｒｏａｍｉｎｇ  Ｌｉｓｔ、ローミングエリア情報）と呼ばれ、３ＧＰＰ２において国、エリアごと、さらには周波数帯域（Ｂａｎｄ  Ｃｌａｓｓ）ごとに規定されている。
【００１５】
このようなＰＲＬは、電源起動時などの初期捕捉時に用いられ、捕捉できた周波数チャネルから得られる近隣基地局情報に記載された近隣の周波数チャネルのリストが得られれば、これを元にスキャンテーブルを作成して以降の捕捉処理などを行う。ただし、この時点でＰＲＬが不要となるわけではなく、スキャンテーブルが古くなる、Ｂａｎｄ  Ｃｌａｓｓをまたいでの使用システムの再選択（リセレクション）処理、電源の再起動、圏外の発生、リセット動作、などが生じる都度、再度ＰＲＬに基づいた周波数サーチを行うことになるため、必要である。
【００１６】
本実施形態では、通常、第１のエリア１０００において携帯電話４０は第１の基地局１０あるいは第３の基地局３０と無線により接続され、第１の基地局１０が構成する第１の通信システム１１あるいは第３の基地局３０が構成する第３の通信システム３１を捕捉可能である。そして、第１のエリア１０００においては、第１の通信システム１１あるいは第３の通信システム３１にて所定のプロトコルに従っていずれかにて位置登録を行い、以降の待ち受け、発着信などの通信を行う。
【００１７】
また、携帯電話４０は、第２のエリア２０００においては、第２の通信システム２１を構成する第２の基地局２０と無線通信を行うことになる。携帯電話４０は、通常、第１のエリア１０００に存在しているため、携帯電話４０は第１のエリア１０００に含まれる第１の基地局１０あるいは第３の基地局と接続するためのＰＲＬのみを記憶している。そのため、旅行などで携帯電話４０が第２のエリアに移動した場合、携帯電話４０が第２の基地局２０と通信を行うためには、携帯電話４０はローミング用（第２の通信システム用）のＰＲＬ（Ｐｒｅｆｅｒｒｅｄ  Ｒｏａｍｉｎｇ  Ｌｉｓｔ、ローミングエリア情報）を記憶している必要がある。
【００１８】
本実施形態では、携帯電話４０はローミング用（第２の通信システム用）のＰＲＬ（第２のＰＲＬ）の全てを予め記憶しておかなくとも、第２の通信システム２１において、ローミング用のＰＲＬをダウンロードすることが可能となる。そして、携帯電話４０は、ダウンロードしたローミング用のＰＲＬに基づいて第２の基地局２０との間で第２の通信システム２１にて所定のプロトコルに従って位置登録を行い、以降の待ち受け、発着信などの通信を行う。なお、携帯電話４０がローミング網である第２の通信システム２１においてローミング用のＰＲＬをダウンロードする手順については後述する。また、第２のエリア２０００においては、さらに第２の通信システム２１と異なる他の通信システムが敷設されている場合も有り、これに対して位置登録可能に構成される場合もある。
【００１９】
図２は、本実施形態における無線通信装置の電気系の内部構造を示すブロック図である。ここでは、無線通信装置として携帯電話４０が例示されている。
【００２０】
携帯電話４０は、通信部４１と、操作部４２と、音声入出力部４３と、スピーカ４４と、マイクロフォン４５と、表示部４６と、記憶部４７と、制御部４８とを含んで構成される。
【００２１】
通信部４１は、第１の通信システム１１、第２の通信システム２１、第３の通信システム３１を捕捉し、例えばＣＤＭＡ２０００の通信プロトコルに従い、通信網に接続される第１の基地局１０、第２の基地局２０、第３の基地局３０との間で無線通信を行う。
【００２２】
操作部４２は、例えば、電源キー、発信キー、数字キー、文字キー、方向キー、決定キーなど、各種の機能が割り当てられたキーを有している。そして、操作部４２は、これらのキーがユーザによって操作された場合に、その操作内容に対応する信号を発生し、これをユーザの指示として制御部４８に入力する。
【００２３】
音声入出力部４３は、スピーカ４４から出力される音声信号やマイクロフォン４５において入力される音声信号の処理を行う。すなわち、音声入出力部４３は、マイクロフォン４５から入力される音声を増幅し、アナログ−デジタル変換を行い、更に符号化などの信号処理を施し、デジタルの音声データに変換して制御部４８に出力する。また、音声入出力部４３は、制御部４８から供給される音声データに復号化、デジタル−アナログ変換、増幅などの信号処理を施し、アナログの音声信号に変換してスピーカ４４に出力する。
【００２４】
表示部４６は、例えば、液晶表示パネルや有機ＥＬ（有機エレクトロルミネッセンス、Ｏｒｇａｎｉｃ  Ｅｌｅｃｔｒｏ−Ｌｕｍｉｎｅｓｃｅｎｃｅ）パネルなどの表示デバイスを用いて構成されており、制御部４８から供給される映像信号に応じた画像を表示する。表示部４６は、例えば、発信時における発信先の電話番号、着信時における着信相手の電話番号、受信メールや送信メールの内容、日付、時刻、電池残量、発信成否、待ち受け画面などの各種の情報や画像を表示する。
【００２５】
記憶部４７は、制御部４８において処理に利用される各種のデータを記憶する。記憶部４７は、例えば、制御部４８に備わるプログラム、通信相手の電話番号や電子メールアドレスなどの個人情報を管理するアドレス帳、着信音やアラーム音を再生するための音声ファイル、待ち受け画面用の画像ファイル、各種の設定データ、プログラムの処理過程で利用される一時的なデータなどを保持する。
【００２６】
また、記憶部４７では、捕捉チャネルテーブル４７１（ＡＣＱ（Ａｃｑｕｉｓｉｔｉｏｎ）テーブル）と、ＰＲＬ４７２（第１のチャネルリスト、第２のチャネルリスト）と、周波数情報テーブル４７３（抜粋チャネルリスト）と、ＰＲＬダウンロード方法テーブル４７４（ダウンロード情報）とがそれぞれ所定の領域に割り付けられて記憶される。
【００２７】
図３は捕捉チャネルテーブル４７１と、ＰＲＬ４７２のデータ構造を示した図である。捕捉チャネルテーブル４７１は、携帯電話４０が捕捉処理を行うチャネルのチャネル名（チャネル番号）を記憶している。図示する例では、捕捉チャネルテーブル４７１が記憶するチャネル名は「Ｃａｎｎｅｌ  Ａ」〜「Ｃａｎｎｅｌ  Ｚ」と記載するが、実際は単にチャネル番号に過ぎない。なお、各チャネルは、所定の周波数幅をチャネル番号の数値に積算し、この値を所定のセンター周波数に対して加算・減算することで特定される周波数であるため、チャネル番号が特定されればその周波数も一義的に特定される。すなわち、チャネル番号がチャネル名であり、周波数を示す情報でもある。
【００２８】
ＰＲＬ４７２は、各事業者が使用するシステムＩＤ（ＳＩＤ、通信事業者情報）と、その事業者が使用するチャネル名とを関連付けて記憶している。図示する例では、ＰＲＬ４７２は、事業者Ａ〜Ｚが使用するシステムＩＤと、その事業者が使用するチャネル名とを関連付けて記憶している。例えば、ＰＲＬ４７２は、事業者Ａが使用するシステムＩＤと、チャネル名「Ｃｈａｎｎｅｌ  Ｂ」とを関連付けて記憶している。他の事業者が使用するシステムＩＤとチャネル名との関連については図示する通りである。
【００２９】
図４は、周波数情報テーブル４７３のデータ構造を示した図である。周波数情報テーブル４７３は、各国で使用可能なチャネル名を記憶している。図示する例では、周波数情報テーブル４７３が記憶するチャネル名は「Ｃｈａｎｎｅｌ  Ａ」〜「Ｃｈａｎｎｅｌ  Ｚ」である。ここで、「Ｃｈａｎｎｅｌ  Ａ」はＵＳＡ１（アメリカ合衆国のうち、ＵＳＡ１で定められている地域）で使用可能なチャネルである。また、「Ｃｈａｎｎｅｌ  Ｂ」は中国で使用可能なチャネルである。他のチャネルについては図示する通りである。なお、周波数情報テーブル４７３は、記憶する容量を減らすため、各国で使用可能なチャネル名を最低限必要な数だけ記憶している。
【００３０】
図５は、ＰＲＬダウンロード方法テーブル４７４のデータ構造を示した図である。ＰＲＬダウンロード方法テーブル４７４は、各事業者のＳＩＤと、各事業者におけるＰＲＬのダウンロード方法とを関連付けて記憶する。図示する例では、事業者Ａが使用するシステムＩＤと、事業者ＡのＰＲＬのダウンロード方法とを関連付けて記憶している。その他の事業者については図示する通りである。なお、国ごとにＰＲＬのダウンロード方法が決まっている場合には、システムＩＤの代わりに国情報を用いてもよい。
【００３１】
なお、ＰＲＬのダウンロード方法は、事業者により何通りかのダウンロード方法が存在する。ＰＲＬのダウンロード方法の具体例を図６に示す。図６は、各国の事業者におけるＰＲＬのダウンロード方法を示した図である。例えば、日本における事業者であるＫＤＤＩでは、「ケータイアップデート」によりＰＲＬのダウンロードを行うことができる。また、中国における事業者であるＣｈｉｎａ  Ｕｎｉｃｏｍでは、ＳＭＳ（Ｓｈｏｒｔ  Ｍｅｓｓａｇｅ  Ｓｅｒｖｉｃｅ、ショートメッセージサービス）によりＰＲＬのダウンロードを行うことができる。また、アメリカ合衆国などでは、ＯＴＡ（Ｏｖｅｒ  Ｔｈｅ  Ａｉｒ）によりＰＲＬのダウンロードを行うことができる。
【００３２】
また、複数の事業者が同じＰＲＬのダウンロード方法を採用している場合、記憶容量を削減するために、ＰＲＬダウンロード方法テーブル４７４のデータ構造を、１種類のＰＲＬのダウンロード方法に対して複数のＳＩＤを関連付けて記憶する構造にしてもよい。
【００３３】
また、周波数情報テーブル４７３と、ＰＲＬダウンロード方法テーブル４７４とを１つのテーブルに纏めてもよいが、本実施形態では、周波数情報テーブル４７３と、ＰＲＬダウンロード方法テーブル４７４とを別のテーブルとして説明する。
【００３４】
上記した記憶部４７は、例えば、不揮発性の記憶デバイス（不揮発性半導体メモリ、ハードディスク装置、光ディスク装置など）やランダムアクセス可能な記憶デバイス（ＳＲＡＭ（Ｓｔａｔｉｃ  Ｒａｎｄｏｍ  Ａｃｃｅｓｓ  Ｍｅｍｏｒｙ、スタティックランダムアクセスメモリ）、ＤＲＡＭ（Ｄｙｎａｍｉｃ  Ｒａｎｄｏｍ  Ａｃｃｅｓｓ  Ｍｅｍｏｒｙ、ダイナミックランダムアクセスメモリ））などによって構成される。
【００３５】
制御部４８は、携帯電話４０の全体的な動作を統括的に制御する。すなわち、制御部４８は、携帯電話４０の各種の操作が操作部４２の操作に応じて適切な順序で実行されるように、上述した各ブロックの動作を制御する。なお、各種の処理とは、例えば、回線交換網を介して行われる音声通話、電子メールの作成と送受信、インターネットのＷｅｂ（Ｗｏｒｌｄ  Ｗｉｄｅ  Ｗｅｂ、ワールド  ワイド  ウェブ）サイトの閲覧などである。また、各ブロックの動作とは、通信部４１における信号の送受信、音声入出力部４３における音声の入出力、表示部４６における画像の表示などである。
【００３６】
制御部４８は、記憶部４７に格納されるプログラム（オペレーティングシステム、アプリケーションプログラムなど）に基づいて処理を実行するＣＰＵ（Ｃｅｎｔｒａｌ  Ｐｒｏｃｅｓｓｉｎｇ  Ｕｎｉｔ、中央演算処理装置）を備えている。このプログラムにおいて指示された手順に従って、制御部４８は上述した処理を実行する。すなわち、制御部４８は、記憶部４７に格納されるオペレーティングシステムやアプリケーションプログラムなどのプログラムから命令コードを順次読み込んで処理を実行する。
【００３７】
制御部４８には図３にその内部構成が機能展開され示されているように、主制御部４８０と、捕捉処理部４８１と、ダウンロード部４８２とが含まれている。捕捉処理部４８１は、自無線通信装置が第１の通信システムおよび第２の通信システムに接続する制御を行う。また、ダウンロード部４８２は、ＰＲＬ（第２のチャネルリスト）のダウンロードを行う。
【００３８】
次に、本実施形態における携帯電話４０が、通信システムに接続する方法について説明する。図７は、本実施形態に係る携帯電話４０が、通信システムに接続する手順を示すフローチャートである。以下、図示するフローチャートを参照しながら、携帯電話４０が通信システムに接続する手順について詳細に説明する。
【００３９】
（ステップＳ１０１）捕捉処理部４８１は、記憶部４７が記憶する捕捉チャネルテーブル４７１に記載されているチャネルを、記載順にスキャンする。その後、ステップＳ１０２に進む。
ここで、周波数チャネルのスキャンについて説明する。３ＧＰＰ２規格において、既に述べたように、使用可能な周波数チャネルは、チャネル番号（チャネル名にも用いられる）により特定される値に対して一定係数（周波数幅）を乗算し、この乗算した値を、センター周波数と呼ばれる特定周波数に対して加算することで周波数を特定して得るよう構成されている。
すなわち、主制御部４８０は、通信部４１に対してスキャンするべきチャネル番号を特定するだけで、全チャネルの周波数のテーブルをもたずともスキャン対象リストを作成することが出来る。
そして、３ＧＰＰ２によって例えば日本向けに使用可能なチャネル番号は規定されており、これら複数のチャネル番号を、無線通信装置４０は記憶部４７に記憶している。また、この複数のチャネル番号以外にも、近隣基地局情報等によって入手した使用可能なチャネル番号なども記憶部４７に記憶可能である。これらの蓄積によりスキャン対象リストが形成される。また、一方でこのようなスキャン対象リストは、様々な要因により、捕捉成功の可能性に応じて、各チャネル番号の順序が入れ替えられたりすることになる。
ちなみに、上述したように、チャネル番号さえ特定できれば周波数は即時割り出すことが出来るため、捕捉チャネルテーブルにおいて「周波数チャネル」としては、実際には周波数の数値をテーブル登録しているわけではなく、チャネル番号を登録するだけで対応可能である。
【００４０】
（ステップＳ１０２）捕捉処理部４８１は、ステップＳ１０１でチャネルを捕捉したか否か判断する。チャネルを捕捉したと判断した場合はステップＳ１０３に進み、それ以外（チャネルを捕捉できなかった場合）はステップＳ１０６に進む。
【００４１】
通常、携帯電話４０は複数のチャネルを交互にサーチし、基地局と通信を行う。具体的には、すなわち、各チャネルにて報知されているパイロットチャネルの逆拡散を行い、パイロット信号を得ると共に信号対干渉波比（Ｅｃ／Ｉｏ）を取得し、通信可能なレベルにあるかどうか判断する。１つのチャネルをサーチして、そのチャネルで通信を行うことが出来ない場合、他のチャネルをサーチする。他のチャネルでも通信を行うことが出来ない場合、適当な間隔で各チャネルのサーチを順に繰り返す。この動作は標準規格に規定されている。本実施形態では、捕捉チャネルテーブル４７１に記憶されている全てのチャネルについて処理を実行することとした。なお、ステップＳ１０１以降の処理を実施するチャネル数は全てのチャネルに限るものではなく、一部のチャネルを処理の対象としてもよい。
【００４２】
（ステップＳ１０３）捕捉処理部４８１は、ステップＳ１０１で捕捉したチャネル上で、捕捉したチャネルでのサービスを行っている事業者のシステムＩＤ（ＳＩＤ）を受信する。その後、ステップＳ１０４に進む。
具体的には、以下の手順によりシステムＩＤを受信する。ステップＳ１０２において、充分な信号波対干渉波比が得られたため、当該パイロットチャネルを送信する基地局に対しての位置登録処理に移る。通信部４１は、取得したパイロット信号に基づいて、さらにパイロットチャネルから符号同期を行い、基地局からの同期信号であるＳｙｎｃ  Ｃｈａｎｎｅｌ  Ｍｅｓｓａｇｅを取得する。続いて、捕捉処理部４８１はＳｙｎｃ  Ｃｈａｎｎｅｌ  Ｍｅｓｓａｇｅから、システムＩＤを取得する。
【００４３】
（ステップＳ１０４）主制御部４８０は、ステップＳ１０３で受信したシステムＩＤと同一のシステムＩＤが、記憶部４７が記憶するＰＲＬ４７２に記憶されているか否か判断する。同一のシステムＩＤがＰＲＬ４７２に記憶されていると主制御部４８０が判断した場合はステップＳ１０５に進み、それ以外（同一のシステムＩＤが記憶されていないと主制御部４８０が判断した場合）はステップＳ１０１に戻る。
【００４４】
（ステップＳ１０５）主制御部４８０は、記憶部４７が記憶するＰＲＬ４７２を参照し、ステップＳ１０３で取得したシステムＩＤと同一のシステムＩＤに関連付けられているチャネル名を取得する。続いて、主制御部４８０は、取得したチャネル名で指定されるチャネルを用いて待ち受けを行う（サービスの利用を開始する）ように通信部４１を制御する。その後、通信システムに接続するための処理を終了する。
【００４５】
（ステップＳ１０６）主制御部４８０は、ステップＳ１０１でスキャンしたチャネルが、捕捉チャネルテーブル４７１に記載されているチャネルの内、最後に記載されたチャネルであるか否か判断する。最後に記載されたチャネルであると主制御部４８０が判断した場合はステップＳ１０７に進み、それ以外（最後に記載されたチャネルではないと主制御部４８０が判断した場合）はステップＳ１０１に戻る。
【００４６】
（ステップＳ１０７）主制御部４８０は、通信システムに接続するための処理を開始した後一定時間が経過した、もしくはステップＳ１０１の処理を規定回数以上行ったか否か判断する。または、ユーザにより、ＰＲＬのダウンロードを指示されたか否か判断する。通信システムに接続するための処理を開始した後一定時間が経過した、もしくはステップＳ１０１の処理を規定回数以上行ったと主制御部４８０が判断した、または、ユーザによりＰＲＬのダウンロードを指示されたと判断した場合はステップＳ１０８に進む。それ以外の場合（通信システムに接続するための処理を開始した後一定時間が経過していない、かつ、ステップＳ１０１の処理を規定回数以上行っていないと主制御部４８０が判断した、かつ、ユーザによりＰＲＬのダウンロードを指示されていないと判断した場合）は、ステップＳ１０１に戻る。
【００４７】
（ステップＳ１０８）捕捉処理部４８１は、記憶部４７が記憶する周波数情報テーブル４７３に記載されているチャネルを、記載順にスキャンする。その後、ステップＳ１０９に進む。
【００４８】
（ステップＳ１０９）捕捉処理部４８１は、ステップＳ１０８でチャネルを捕捉したか否か判断する。チャネルを捕捉したと判断した場合はステップＳ１１０に進み、それ以外（チャネルを捕捉できなかった場合）はステップＳ１１５に進む。なお、チャネルを捕捉したか否かの判断は、ステップＳ１０２と同様に行う。
【００４９】
（ステップＳ１１０）捕捉処理部４８１は、ステップＳ１０８で捕捉したチャネル上で、捕捉したチャネルでのサービスを行っている事業者のシステムＩＤ（ＳＩＤ）を受信する。その後、ステップＳ１１１に進む。
【００５０】
（ステップＳ１１１）主制御部４８０は、ステップＳ１１０で受信したシステムＩＤと同一のシステムＩＤが、記憶部４７が記憶するＰＲＬダウンロード方法テーブル４７４に記憶されているか否か判断する。同一のシステムＩＤがＰＲＬダウンロード方法テーブル４７４に記憶されていると主制御部４８０が判断した場合はステップＳ１１２に進み、それ以外（同一のシステムＩＤが記憶されていないと主制御部４８０が判断した場合）はステップＳ１１５に進む。
【００５１】
（ステップＳ１１２）ダウンロード部４８２は、記憶部４７が記憶するＰＲＬダウンロード方法テーブル４７４を参照し、ステップＳ１１０で取得したシステムＩＤと同一のシステムＩＤに関連付けられているＰＲＬのダウンロード方法を取得する。続いて、ダウンロード部４８２は、取得したＰＲＬのダウンロード方法に基づいて、ＰＲＬのダウンロードを行う。その後、ステップＳ１１３に進む。
【００５２】
（ステップＳ１１３）主制御部４８０は、ステップＳ１１２でＰＲＬのダウンロードが成功したか否か判断する。ＰＲＬのダウンロードが成功したと主制御部４８０が判断した場合はステップＳ１１４に進み、それ以外（ＰＲＬのダウンロードが失敗したと判断した場合）はステップＳ１１５に進む。
【００５３】
（ステップＳ１１４）主制御部４８０は、ステップＳ１１２でダウンロードしたＰＲＬを、新たなＰＲＬ（第２のＰＲＬ）として、記憶部４７のＰＲＬ４７２に記憶させる。その後、ステップＳ１０１に戻る。
【００５４】
（ステップＳ１１５）主制御部４８０は、ステップＳ１０８でスキャンしたチャネルが、周波数情報テーブル４７３に記載されているチャネルの内、最後に記載されたチャネルであるか否か判断する。最後に記載されたチャネルであると主制御部４８０が判断した場合はステップＳ１１６に進み、それ以外（最後に記載されたチャネルではないと主制御部４８０が判断した場合）はステップＳ１０８に戻る。
【００５５】
（ステップＳ１１６）主制御部４８０は、通信システムに接続するための処理を開始した後一定時間が経過した、もしくはステップＳ１０８の処理を規定回数以上行ったか否か判断する。通信システムに接続するための処理を開始した後一定時間が経過した、もしくはステップＳ１０８の処理を規定回数以上行ったと主制御部４８０が判断した場合はステップＳ１０１に戻る。それ以外の場合（通信システムに接続するための処理を開始した後一定時間が経過していない、かつ、ステップＳ１０８の処理を規定回数以上行っていないと主制御部４８０が判断した場合）は、ステップＳ１０８に戻る。
【００５６】
上述したとおり、本実施形態の携帯端末装置は、各国で使用可能なチャネル名を記憶している周波数情報テーブル４７３と、各国の事業者におけるＰＲＬのダウンロード方法を記憶しているＰＲＬダウンロード方法テーブル４７４とを記憶している。そして、記憶している情報に基づいて、携帯端末装置はローミング先のネットワークのＰＲＬをダウンロードすることができる。これにより、例えばＣＤＭＡ２０００方式を用いる無線通信装置において、ローミング用にＰＲＬを予め取得していなくても、ローミング先でＰＲＬをダウンロードすることができるため、接続が許可されているローミング網に接続することができる。
【００５７】
また、本実施形態では、ローミング用にＰＲＬを予め記憶部に記憶していないため、無線通信装置を海外で使用しない場合、記憶部（メモリ）の使用量を削減することができる。
【００５８】
また、従来では、ローミング用に多数のＰＲＬを予め記憶部に記憶していたため、ローミング先で待ち受け処理を行う際に、待ち受けるためのシステムを選択し、続いて捕捉処理を行うためサービスを利用するまでに時間が掛かっていた。しかしながら、本実施形態では、ローミング先のＰＲＬのみダウンロードするため、サービスを利用するまでの時間を短縮することもできる。
【００５９】
また、従来では、ローミング先のＰＲＬが更新され、予めダウンロードしたＰＲＬの情報と異なっている場合、ローミング先のサービスを使用することができなかった。しかしながら、本実施形態では、ローミング先で最新のＰＲＬをダウンロードするため、ローミング先のＰＲＬが更新された場合においてもローミング先のサービスを利用することができる。
【００６０】
また、新たなサービスとして、自動的に渡航先（ローミング先）のＰＲＬ情報を配信するサービスが予定されている。以下、このサービスについて説明する。
【００６１】
はじめに、基地局は、緊急地震速報の通知に利用している１ＸサービスのＢＣＳＭＳ（Ｂｒｏａｄｃａｓｔ  ＳＭＳ）を用いて、ＰＲＬ配信情報を携帯電話機へ通知する。なお、ＢＣＳＭＳは大量の情報を配信するには不向きなため、ＰＲＬ配信情報は、例えば、ＰＲＬの配信予告や配信時刻などの情報である。
【００６２】
ＰＲＬ配信情報で指定された時刻において、携帯電話機は、ＥＶＤＯサービスのＢＣＭＣＳ（Ｂｒｏａｄｃａｓｔ  Ｍｕｌｔｉｃａｓｔ  Ｓｅｒｖｉｃｅ）を起動して、基地局からＰＲＬが配信されるのを待つ。基地局からＰＲＬが配信された場合、携帯電話機は配信されたＰＲＬを新しいＰＲＬとして置き換える。
【００６３】
このサービスを例えば国際空港などで行うことにより、携帯電話機は、渡航後（ローミング先）のＰＲＬを自動的に取得することができる。
【００６４】
ここで、携帯電話機がＰＲＬの配信を受けられないまま渡航した場合、ローミング先でのサービスを受けられない。例えば、無線上の障害で、携帯電話機はＰＲＬの配信を受けられないことが考えられる。また、ＰＲＬの配信時刻前に携帯電話機の電源を切ることで、携帯電話機はＰＲＬの配信を受けられないことが考えられる。
【００６５】
しかしながら、本発明を用いることで、予めＰＲＬの配信を受けることができない場合においても、渡航先でＰＲＬをダウンロードすることができるため、ローミング先のネットワークに接続することができる。
【００６６】
例えば、携帯電話機にＢＣＳＭＳを受信後、ＰＲＬのダウンロードが一定時間行われない場合、ステップＳ１０８以降の処理を行うことで、素早くローミング先のネットワークに接続することができる。
【００６７】
以上、この発明の実施形態について図面を参照して詳述してきたが、具体的な構成はこの実施形態に限られるものではなく、この発明の要旨を逸脱しない範囲の設計等も含まれる。
【００６８】
また、上述した実施形態における無線通信装置が有する各構成ブロックの機能全体あるいはその一部は、これらの機能実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００７０】
【図１】本発明の一実施形態における無線通信システムの構成の一例を示した図である。
【図２】本実施形態における無線通信装置の電気系の内部構造を示すブロック図である。
【図３】本実施形態における捕捉チャネルテーブルと、ＰＲＬのデータ構造を示した図である。
【図４】本実施形態における周波数情報テーブルのデータ構造を示した図である。
【図５】本実施形態におけるＰＲＬダウンロード方法テーブルのデータ構造を示した図である。
【図６】各国の事業者におけるＰＲＬのダウンロード方法を示した図である。
【図７】本実施形態において、無線通信装置が通信システムに接続する手順を示すフローチャートである。
【符号の説明】
【００７１】
１０・・・第１の基地局、１１・・・第１の通信システム、２０・・・第２の基地局、２１・・・第２の通信システム、３０・・・第３の基地局、３１・・・第３の通信システム、４０・・・携帯電話、４１・・・通信部、４２・・・操作部、４３・・・音声入出力部、４４・・・スピーカ、４５・・・マイクロフォン、４６・・・表示部、４７・・・記憶部、４８・・・制御部、４７１・・・捕捉チャネルテーブル、４７２・・・ＰＲＬ、４７３・・・周波数情報テーブル、４７４・・・ＰＲＬダウンロード方法テーブル、４８０・・・主制御部、４８１・・・捕捉処理部、４８２・・・ダウンロード部、１０００・・・第１のエリア、２０００・・・第２のエリア
【図１】
2010056892.tif 000003
【図２】
2010056892.tif 000004
【図３】
2010056892.tif 000005
【図４】
2010056892.tif 000006
【図５】
2010056892.tif 000007
【図６】
2010056892.tif 000008
【図７】
2010056892.tif 000009